(57)【要約】【課題】  特定の地域にいる不特定多数の人を対象として個人情報を公開する容易な方法を提供する。【解決手段】  携帯電話を用いて個人情報を公開する際に、基地局或いは、複数の基地局から成る基地局群を指定して公開対象の情報を登録し、当該基地局と通信可能な携帯電話の使用者のみに前記情報を公開可能としている。この時、前記情報を登録した個人が前記基地局或いは基地局群の通信可能範囲外に移動した場合には、登録した情報の公開を禁止或いは抹消することも可能である。【選択図】      図１
2005039729.tif 000002
【特許請求の範囲】
【請求項１】
携帯電話を用いて個人情報を公開する際に、基地局或いは、複数の基地局から成る基地局群を指定して公開対象の情報を登録し、当該基地局と通信可能な携帯電話の使用者のみに前記情報を公開可能としたことを特徴とする携帯電話を用いた情報公開システム。
【請求項２】
前記情報を登録した個人が前記基地局或いは基地局群の通信可能範囲外に移動した場合には、登録した情報の公開を禁止或いは抹消するようにしたことを特徴とする請求項１記載の携帯電話を用いた情報公開システム。
【請求項３】
前記登録情報は、公開する時間帯、日程、期間などの時間的要素を含んで公開されることを特徴とする請求項１記載の携帯電話を用いた情報公開システム。
【請求項４】
個人情報の基地局選択情報を携帯電話の移動に追随させる機能を持たせ、基地局選択情報を、携帯電話が通信している基地局を含む基地局選択情報に随時更新可能としたことを特徴とする携帯電話を用いた情報公開システム。
【請求項５】
前記基地局選択情報に含まれない基地局としか通信できない場合であっても、閲覧することを許可された利用者にのみは閲覧可能としたことを特徴とする請求項４記載の携帯電話を用いた情報公開システム。
【請求項６】
携帯電話が通信可能な基地局に個人情報を登録し、当該基地局と通信する他の携帯電話にのみ登録した前記個人情報を公開するようにしたことを特徴とする携帯電話を用いた情報公開システム。
【請求項７】
前記個人情報を登録した携帯電話が、情報を登録した基地局の通信可能エリア外に移動し、通信が不可能に成った場合には、登録した前記個人情報の公開を禁止或いは抹消するようにしたことを特徴とする請求項６記載の携帯電話を用いた情報公開システム。
【請求項８】
携帯電話を用いて個人情報を登録する際に、当該携帯電話が認識している通信可能な基地局あるいは隣接する基地局で当該個人情報を閲覧可能とするように情報を付加し、情報を登録した携帯電話と通信可能な基地局あるいは隣接する基地局で前記個人情報を公開するようにしたことを特徴とする携帯電話を用いた情報公開システム。
【請求項９】
個人情報を登録した形態電話が通信エリアを移動し、情報を公開していた基地局が、情報を登録した携帯電話にとって通信可能な基地局或いは隣接する基地局として認識されなくなった場合に、当該基地局においては、前記個人情報の公開を禁止することを特徴とする携帯電話を用いた情報公開システム。
【請求項１０】
個人情報を登録した携帯電話が移動し、通信可能エリアが移動した場合、登録した個人情報を移動先の通信エリアに於ける通信可能な基地局に移動させ、情報公開する基地局を自動的に変更可能としたことを特徴とする携帯電話を用いた情報公開システム。
【請求項１１】
携帯電話を用いて電話番号を付加した個人情報を基地局に登録する際に、他の携帯電話に該電話番号を知られることなく他の携帯電話からの着信が受けられるように、該電話番号を他の情報に置き換え、該他の情報を公開し、他の携帯電話では、該他の情報を用いて個人情報を登録した携帯電話に発信可能としたことを特徴とする携帯電話を用いた情報公開システム。
【請求項１２】
前記他の情報は、ダイアル情報であり、このダイアル情報は一時的なものであって、必要に応じて抹消し、新たなダイアル情報を付与することを可能としたことを特徴とする請求項１１記載の携帯電話を用いた情報公開システム。
【発明の詳細な説明】
【技術分野】
【０００１】
この発明は、携帯電話を使用し、携帯電話が通信している基地局の通信サービスエリアに携帯電話使用者の個人情報を公開し、同一サービスエリアに存在する他の携帯電話使用者、或いは指定した基地局のサービスエリアに存在する他の携帯電話使用者に情報を提供するシステムに関する。
【背景技術】
【０００２】
従来、インターネット等で行われる電子的個人情報の公開方法として、例えば、掲示板システム等があり、この公開方法は、公開エリアを限定せず、不特定多数の人に対して情報を公開するシステムであった。このような情報公開システムにおいて、利用者の制限を行う場合、制限を行う側が、通常利用者にパスワードなどを発行し、そのパスワードの入力により利用者の識別を行っていた。
【０００３】
また、従来、移動携帯端末が属するエリアの地域情報をそのエリアの基地局を介して携帯電話等の形態端末に送出するサービスがある。
【特許文献１】特開平９−１７２６７２号公報
【発明の開示】
【発明が解決しようとする課題】
【０００４】
この発明が解決しようとする課題は、従来の情報公開システムでは、特定の地域にいる不特定多数の人を対象に個人の情報を簡易な方法で公開する手段がなかった点である。
【課題を解決するための手段】
【０００５】
この発明は、上記課題を解決するために、携帯電話を用いて個人情報を公開する際に、基地局或いは、複数の基地局から成る基地局群を指定して公開対象の情報を登録し、当該基地局と通信可能な携帯電話の使用者のみに前記情報を公開可能としたことを主要な特徴とする。
【発明の効果】
【０００６】
この発明における携帯電話を用いた情報公開システムにおいては、携帯電話を用いて個人情報を公開する際に、基地局或いは、複数の基地局から成る基地局群を指定して公開対象の情報を登録し、当該基地局と通信可能な携帯電話の使用者のみに前記情報を公開可能としているので、特定の地域にいる不特定多数の人を対象に情報を公開することが出来る。
【発明を実施するための最良の形態】
【０００７】
この発明における情報公開システムにおいては、情報を公開する側と閲覧する側が予め近い位置にいることを前提としており、遠隔地には情報を公開しない。また、この発明における情報公開システムにおいては、情報を公開するエリアを指定したエリアに限定している。そのため、所望の狭いエリア内においてのみ、不特定多数の利用者に対して個人情報を公開するようにしている。また、この発明による情報公開システムにおいては利用者ａの携帯電話から他の利用者ｂの電子的な情報（個人の情報には特に限定しない）を閲覧することが出来る機能を、携帯電話や、携帯電話に付属の装置など、個人向け情報端末が保持していることを前提としている。
【実施例１】
【０００８】
図１は、本発明に於ける情報公開システムの第１の実施例を示す図である。
【０００９】
利用者ａが特定エリアＡにて個人情報を公開したい場合、公開情報を作成した後、当該エリア内の基地局Ａに向けて送信する。利用者ａの個人情報登録時に個人情報と共に公開するエリアの基地局名又は複数の基地局により構成される基地局群名（以下、基地局選択情報と称する）を指定する。個人情報は、基地局選択情報に適した基地局装置内、携帯電話通信網内、携帯電話通信網に接続される他の通信網内に保存される。
【００１０】
利用者ａが自分の個人情報を基地局Ｂの通信エリアＢのみに公開するように指定したとする。基地局Ｂにより回線が確保される利用者ｂは、別の利用者が登録した個人情報を閲覧しようとして、情報の保管場所に接続する。利用者ｂの接続情報に基地局Ｂと通信したという情報が含まれる場合、利用者ａの個人情報の基地局選択情報に基地局Ｂが含まれているため、利用者ｂは利用者ａの個人情報を閲覧することができる。
【００１１】
一方、基地局Ｃにより回線が確保される利用者ｃが利用者ａの個人情報を閲覧しようとした場合、基地局選択情報に基地局Ｃが含まれている場合のみ閲覧可能となるため、この場合、基地局選択情報に基地局Ｃが含まれていなければ利用者ｃは利用者ａの個人情報を見ることは出来ない。
【００１２】
利用者ａが個人情報を登録した基地局Ａの通信エリアＡから移動した場合、又は携帯電話の電源を切る等して通信不能となった場合、登録した個人情報の閲覧禁止或いは登録情報の抹消を行うこともできる。
【００１３】
又、公開したい個人情報に公開時間、公開日程、公開期間などの時間的要素を付加することにより、指定した基地局からの情報公開時間を指定したり、公開する日程、期間を限定することもできる。
【００１４】
以上により、利用者ａは、任意のエリア限定で個人情報を不特定多数の利用者に公開することが可能となる。
【実施例２】
【００１５】
図２は、本発明による情報公開システムの第２の実施例を示す図である。この実施例においては、複数の基地局が基地局群を構成しているものとする。
【００１６】
利用者ａは、自分の個人情報を登録する際に、通信している基地局群において個人情報を公開するように指定し、更に、この個人情報を利用者ａの移動に伴って移動させるように指定したとする。
【００１７】
利用者ａの携帯電話が移動し、予め指定した基地局群Ａによる通信エリア群Ａから他の基地局群Ｂによる通信エリア群Ｂに移動した場合、個人情報を公開する基地局を基地局群Ａから基地局群Ｂに変更する。
【００１８】
これにより、通信エリア群Ａにいた利用者ｂは、利用者ａが基地局群Ｂに移動すると、利用者ｂの通信、補足される基地局が利用者ａの移動した先の基地局群Ｂに含まれていなければ、利用者ａの個人情報を閲覧することが出来なくなる。
【００１９】
このような仕組みにより、登録された利用者ａの個人情報は、利用者ａの携帯電話の通信する基地局が変わっても、利用者ａの携帯電話を補足し通信している基地局群に登録先が変更されるので、利用者ａの個人情報の閲覧エリアを移動に伴って随時追従させることが出来るようになる。
【００２０】
これに加えて、利用者ｂが利用者ａの個人情報を他のエリアで閲覧できるように許可を取ることもできるので、特定の利用者のみが指定したエリア以外でも利用者ａの個人情報を閲覧できるようにすることも可能である。
【実施例３】
【００２１】
図３は、本発明に於ける情報公開システムの第３の実施例を示す図である。
【００２２】
この実施例では、利用者ａが個人情報を公開したい場合、公開情報を作成した後、その情報を基地局Ａに向けて送信する。利用者ａの個人情報は、基地局Ａと通信したという履歴を持ち、基地局装置内、携帯電話通信網内、携帯電話通信網に接続される他の通信網内に保持される。
【００２３】
基地局Ａにより回線が確保される利用者ｂは、別の利用者（例えば、利用者ａ）が登録した情報を閲覧する目的で情報が保管された場所に接続する。この時、利用者ｂの接続情報に基地局Ａと通信した情報が含まれる場合、基地局Ａとの通信履歴が付与された個人情報（例えば利用者ａの個人情報）のみを閲覧可能とする。これにより、利用者ｂは利用者ａの個人情報を閲覧することが可能となる。
【００２４】
また、基地局Ｂにより回線が確保されるエリアＢ内の利用者ｃが個人情報を閲覧しようとした場合、エリアＢの内部では、基地局Ｂの履歴の付与された情報のみ閲覧可能となるため、利用者ａの個人情報は閲覧することが出来ない。
【００２５】
利用者ａは、個人情報を登録した基地局Ａの通信エリアＡを離れた場合、或いは携帯電話の電源を切った場合等、通信不能となった場合に、登録した個人情報の閲覧を禁止、或いは登録情報の抹消を行うように予め設定することが出来る。これにより、利用者ａは、任意の基地局に利用者ａの携帯電話が認識されている間のみ、その基地局の通信エリア内限定で個人情報を公開することが出来る。
【実施例４】
【００２６】
図４は、本発明に於ける情報公開システムの第４の実施例を示す図である。
【００２７】
前記実施例３においては、個人情報を公開する基地局は個人情報登録の際に通信した基地局に限定されている。本実施例においては、個人情報を登録する際に、利用者ａの携帯電話が認識している通信可能な基地局（例えば、基地局Ａ）及び通信可能な基地局により通知される隣接する基地局（例えば、基地局Ｂ）の通信可能なエリア内においてのみ個人情報を公開する。
【００２８】
利用者ａが個人情報を登録する際に、通信エリアを移動した場合、利用者ａの携帯電話にとって通信可能な基地局又は隣接する基地局と、認識しなくなった基地局においては、その基地局での個人情報の公開を禁止、又は、その基地局での個人情報に関する情報を抹消する。これにより、利用者ａは、利用者ａの周辺の基地局のみで個人情報を公開することが出来る。
【実施例５】
【００２９】
図５は、本発明に於ける情報公開システムの第５の実施例を示す図である。
【００３０】
この実施例において、利用者ａが通信エリアＡにおいて、個人情報を公開したとする。
利用者ａが通信エリアＡからエリアＢに移動した場合、利用者ａと基地局Ｂとの間で回線が確保されると、通信エリアＡにて登録した個人情報の基地局履歴がＡからＢに変更され、情報公開エリアが利用者の移動した位置と同様に移動する。
【００３１】
利用者ｂは、利用者ａの携帯電話が同じ基地局Ｂに補足されている場合、利用者ａの個人情報を閲覧することが出来る。
【００３２】
これにより、登録された利用者ａの個人情報は、利用者ａの携帯電話の通話可能エリアが変わっても、利用者ａの携帯電話を補足、通信している基地局に転送され、利用者ａの移動に伴って情報を後悔するエリアを常時追従させることが可能となる。
【実施例６】
【００３３】
図６は、本発明に於ける情報公開システムの第６の実施例を示す図である。
【００３４】
この実施例においては、利用者ａが個人情報を公開した際に不特定多数の相手からの着信を期待する場合に、この利用者ａの個人情報に利用者ａのダイアル情報を付加させている。このダイアル情報は、携帯電話の電話番号を直接表示するものと、電話番号を表示しないものとがある。
【００３５】
前記ダイアル情報が、利用者ａの携帯電話番号を直接表示する場合、利用者ｂは、選択操作あるいは通常のダイアル操作により利用者ａに電話をかけることが出来る。また、前記ダイアル情報に、利用者ａの携帯電話番号が表示されていない場合、携帯電話固有の電話番号などと異なるダイアル情報を選択操作或いはダイアル操作することにより、利用者ａと通信可能となる。
【００３６】
この時、発信元である利用者ｂの携帯電話には、利用者ａの携帯電話番号などの携帯電話情報を通知又は表示させないようにすることも可能であり、利用者ａの意志により選択可能なようにすることができる。
【００３７】
また、このダイアル情報は、一時的なものとし、必要に応じて容易に抹消できるようにすることが出来る。
【００３８】
また、携帯電話網の管理・運営業者（以下、事業者と称する）の操作によりこれらの携帯電話番号などの携帯電話情報を強制的に通知したり、表示したり、逆に強制的に非通知としたり非表示としたりすることも可能である。
【００３９】
直接携帯電話番号を表示しないダイアル情報は、個人情報登録毎に、不規則に採番するものと、利用者或いは携帯電話に関連するものとがあるが、事業者により適宜決定することができる。
【図面の簡単な説明】
【００４０】
【図１】携帯電話を用いた情報公開システムの概念図である。（実施例１）
【図２】携帯電話を用いた情報公開システムの概念図である。（実施例２）
【図３】携帯電話を用いた情報公開システムの概念図である。（実施例３）
【図４】携帯電話を用いた情報公開システムの概念図である。（実施例４）
【図５】携帯電話を用いた情報公開システムの概念図である。（実施例５）
【図６】携帯電話を用いた情報公開システムの概念図である。（実施例６）
【図１】
2005039729.tif 000003
【図２】
2005039729.tif 000004
【図３】
2005039729.tif 000005
【図４】
2005039729.tif 000006
【図５】
2005039729.tif 000007
【図６】
2005039729.tif 000008